(57)【要約】ＰｏＥコントロールデバイスとケーブリングネットワークのコンポーネントとの間において「パワー-オーバー-イーサネット」（ＰｏＥ）コネクションを可能とするアセンブリーであって、それぞれデータを転送するためのデータケーブルのそれぞれに操作可能であってそれぞれソケットに操作可能に接続された複数のケーブル端末を含むネットワークコネクションデバイスと、ＰｏＥコントロールデバイスもしくはＰｏＥ電源に直接接続されたとき、当該ＰｏＥコントロールデバイスの出力に依存して電力および／またはパワーシグナルを受信するように上記ＰｏＥコントロールデバイスもしくはＰｏＥ電源に直接接続することができ、それぞれのソケットに係合することが可能でありそれにより上記ネットワークコネクションデバイスの一部を形成するデータ転送パスを介して上記データケーブルに操作可能に接続することができるＰｏＥプラグジャックデバイスと、を備えるアセンブリーを提供する。
2009535877.tif 000002
【特許請求の範囲】
【請求項１】
ＰｏＥコントロールデバイスとケーブリングネットワークのコンポーネントとの間で「パワー-オーバー-イーサネット」（ＰｏＥ）コネクションを可能とするアセンブリーであって、
データを転送するための各データケーブルに操作可能に接続することができる複数のケーブル端末と、各ケーブル端末が各ソケットに操作可能に接続される複数のソケットと、を備えるネットワークコネクションデバイスと、
ＰｏＥコントロールデバイスもしくはＰｏＥ電源に直接接続されたとき、該ＰｏＥコントロールデバイスもしくはＰｏＥ電源の出力に依存して電力および／またはパワーシグナルを受信するように上記ＰｏＥコントロールデバイスもしくはＰｏＥ電源に直接接続することができ、それぞれのソケットに係合することが可能でありそれにより上記ネットワークコネクションデバイスの一部を形成するデータ転送パスを介して上記データケーブルに操作可能に接続することができるＰｏＥプラグジャックデバイスと、を備えるアセンブリー。
【請求項２】
複数のＰｏＥプラグジャックデバイスを備え、各ＰｏＥプラグジャックデバイスは各ソケットに係合可能であり、それによりＰｏＥコントロールデバイスと、ケーブリングネットワークの複数のコンポーネントと、の間でＰｏＥ接続を可能とする請求項１記載のアセンブリー。
【請求項３】
上記もしくは各ＰｏＥプラグジャックデバイスユニットが、パワーケーブルを介して、ＰｏＥコントロールデバイスもしくはＰｏＥ電源に接続可能であることを特徴とする請求項１または２記載のアセンブリー。
【請求項４】
上記もしくは各ＰｏＥプラグジャックデバイスは、上記ＰｏＥプラグジャックデバイスにパワーケーブルを操作可能に接続するためのパワーポートを備えることを特徴とする請求項１〜３のいずれかに記載のアセンブリー。
【請求項５】
さらに、上記ＰｏＥプラグジャックデバイスに取付けられたパワーケーブルを備えることを特徴とする請求項１〜３のいずれかに記載のアセンブリー。
【請求項６】
上記ＰｏＥプラグジャックデバイスが、上記ネットワークコネクションデバイスの各ソケットと係合可能な雄プラグを備えることを特徴とする請求項１〜５のいずれかに記載のアセンブリー。
【請求項７】
上記もしくは各ＰｏＥプラグジャックデバイスが、さらにパッチケーブルを上記ＰｏＥプラグジャックデバイスに操作可能に接続するためのネットワークポートを備えることを特徴とする請求項１〜６のいずれかに記載のアセンブリー。
【請求項８】
上記もしくは各ＰｏＥプラグジャックデバイスはハウジングを備え、該ハウジング内において雄プラグが操作可能に接続され、かつ上記ハウジングに対してパワーケーブルが操作可能に接続可能であるかもしくは取付けられていることを特徴とする請求項６記載のアセンブリー。
【請求項９】
請求項４に従属する場合、請求項６およびその従属請求項に記載のアセンブリーであって、
上記もしくは各ＰｏＥプラグジャックデバイスはハウジングを備え、該ハウジング内において雄プラグが操作可能に接続され、かつ上記ハウジング内でパワーポートが形成されていることを特徴とするアセンブリー。
【請求項１０】
請求項７に従属する場合、請求項８もしくは請求項９に記載のアセンブリーであって、
上記ネットワークポートは、上記ハウジング内に形成されていることを特徴とするアセンブリー。
【請求項１１】
上記ハウジング内に、フィルター、コンバイナー、セパレーター、インダクタンス、サブバンドコミュニケーション装置、インジケーター装置、および／またはＰｏＥプラグジャックデバイスの雄プラグに操作可能に接続されたパワーマネージメントデバイスの少なくとも１つを有するエレクトロニクスセクションを具備することを特徴とする請求項８〜１０のいずれかに記載のアセンブリー。
【請求項１２】
操作可能に接続されたＰｏＥコントロールデバイスを含む請求項１〜１１のいずれかに記載のアセンブリー。
【請求項１３】
操作可能に接続された電源をさらに備えることを特徴とする請求項１〜１２のいずれかに記載のアセンブリー。
【請求項１４】
上記もしくは各ＰｏＥプラグジャックデバイスは、上記もしくは各ＰｏＥプラグジャックデバイスがネットワークコネクションデバイスに接続されることを可能にするコネクション手段をさらに備えることを特徴とする請求項１〜１３のいずれかに記載のアセンブリー。
【請求項１５】
上記もしくは各ＰｏＥプラグジャックデバイスの上記コネクション手段は、上記もしくは各ＰｏＥプラグジャックデバイスが係合可能な各ソケットに分岐するソケットを備えることを特徴とする請求項１４記載のアセンブリー。
【請求項１６】
ＰｏＥコントロールデバイスもしくはＰｏＥ電源に直接接続されたとき該ＰｏＥコントロールデバイスの出力に依存してＰｏＥプラグジャックデバイスが電力および/またはパワーシグナルを受信するように、上記ＰｏＥコントロールデバイスもしくはＰｏＥ電源に直接接続されうるＰｏＥプラグジャックデバイスであって、
複数のケーブル端末を有するネットワークコネクションデバイスの各ソケットと係合可能であり、各ケーブル端末は、データ転送のための各データケーブルに操作可能に接続可能であり、ＰｏＥプラグジャックデバイスの各ソケットへの係合が、ネットワークコネクションデバイスの一部を構成するデータ転送パスを介してＰｏＥプラグジャックデバイスが上記データケーブルと接続されるように、各ケーブル端末は、各ソケットに操作可能に接続されることを特徴とするＰｏＥプラグジャックデバイス。
【請求項１７】
パワーケーブルを介してＰｏＥコントロールデバイスもしくはＰｏＥ電源に接続可能であることを特徴とする請求項１５記載のＰｏＥプラグジャックデバイス。
【請求項１８】
パワーケーブルを受けるためのパワーポートを備えることを特徴とする請求項１６もしくは１７記載のＰｏＥプラグジャックデバイス。
【請求項１９】
従来のパッチパネルにおいて予め決定された個々のコンセントジャックソケットへのＰｏＥ接続を提供するためのＰｏＥプラグジャックデバイスであって、
それぞれのＰｏＥプラグジャックデバイスは、自身の取付けられたパワーケーブル、もしくはＰｏＥ電源もしくはＰｏＥコントロールデバイスへの直接接続のためパワーケーブル自身に取付けるための手段を有し、当該デバイスはさらにＰｏＥプラグジャックデバイスにネットワークコネクションデバイスを操作可能に接続するためのコネクターと、ＰｏＥプラグジャックデバイスにパワーケーブルを操作可能に接続するためのパワーポートと、を備えるＰｏＥプラグジャックデバイス。
【請求項２０】
ネットワークコネクションデバイスの各ソケットに係合可能な雄プラグをさらに備えることを特徴とする請求項１６〜１９のいずれかに記載のＰｏＥプラグジャックデバイス。
【請求項２１】
上記ハウジング内に、フィルター、コンバイナー、セパレーター、インダクタンス、サブバンドコミュニケーション装置、インジケーター装置、および／またはＰｏＥプラグジャックデバイスの雄ピンに操作可能に接続されたパワーマネージメントデバイスの少なくとも１つを有するエレクトロニクスセクションを具備することを特徴とする請求項２０のいずれかに記載のＰｏＥプラグジャックデバイス。
【請求項２２】
ネットワークコネクションデバイスにＰｏＥプラグジャックデバイスの接続することを可能とするコネクターをさらに備えることを特徴とする請求項１６〜２１のいずれかに記載のＰｏＥプラグジャックデバイス。
【請求項２３】
上記コネクターは、ＰｏＥプラグジャックデバイスが係合可能な各ソケットに分岐するソケットを備えることを特徴とする請求項２２記載のＰｏＥプラグジャックデバイス。
【請求項２４】
パッチケーブルを受けるためのネットワークポートを備えることを特徴とする請求項１６〜２１のいずれかに記載のＰｏＥプラグジャックデバイス。
【請求項２５】
添付の図面を参照して本明細書に記載された、および/または添付の図面に例示されたアセンブリー。
【請求項２６】
添付の図面を参照して本明細書に記載された、および/または添付の図面に例示されたＰｏＥプラグジャックデバイス。
【発明の詳細な説明】
【技術分野】
【０００１】
本発明は、「パワー-オーバー-イーサネット」（ＰｏＥ）（時折「パワーオーバーＬＡＮ」とも称される）コネクションを可能にするアセンブリー、およびそのようなアセンブリーを構成するＰｏＥプラグジャックデバイスに関する。
【背景技術】
【０００２】
ＰｏＥについては、現時点において、関心が急速に高まっている。当該テクノロジーには、イーサネットケーブリング、すなわちローカルエリアネットワーク（ＬＡＮ）を規定するケーブリングを用いて電力を提供することが含まれる。
【０００３】
代表的な「カテゴリー５」のデータ転送ケーブル（ＬＡＮケーブリング用途において非常に一般的に使用されるタイプである）は、ツイストされた４つのペアの転送ワイヤーからなる。これらは、国際的に合意された規格により最大値および最小値が指定された電圧の形式でデータを転送するために使用される。
【０００４】
ケーブルがデータを信頼性高くかつクロストークなく転送することができる能力を低下させず、電力およびデータを提供するため、この種のデータケーブルを使用することができる。
【０００５】
これは、データケーブルに電力供給のための接続を可能にするアクティブコントロールエレメントおよびあるパッシブコンポーネント（例えば、ＬＡＮの一部を形成する中心タップ二次巻線変圧器等）の両方を使用することにより主に達成される。当該アクティブおよびパッシブコンポーネントは、ケーブルを介して伝送される電圧が上述の規格の下可能とされる最大値と最小値との間にあるように、当該電圧が制限される。
【０００６】
ＰｏＥテクノロジーのある用途においては、同じ対のケーブルを同時に使用することによりデータおよび電力が伝送される。別の用途では、当該対のいくつかが、ミックスされたデータ伝送と電力伝送のために使用され、その他の対が電力伝送もしくはデータ伝送に供されるように使用がミックスされている。
【０００７】
様々なデバイスは、ＰｏＥテクノロジーを使用して提供されるパワーレベルで作動することができる。このようなデバイスは、仮にＬＡＮのノードに接続されると、主電源に対するセパレートコネクションを全く必要とすることなく、ネットワークからオペレーティングパワーを取り出すことができる。このようなデバイスには、インターネットプロトコル（ＩＰ）電話、電荷結合デバイス（ＣＣＤ）カメラ、アラームシステムセンサー、カードリーダーおよび同様の装置が含まれる。ＰｏＥ装置から取得できるパワーレベルで作動するパーソナルコンピューターがまさに利用可能である。
【０００８】
また、ＰｏＥ可能なネットワークは、主電源が利用できない時は、デバイス、例えば従来のパーソナルコンピューターに対してバックアップパワーを提供することができる。このような用途では、ＬＡＮ上で電力を分配することを制御する当該アクティブデバイスは、そのノードに接続されたデバイスにネットワークメッセージを転送することができるように配置されていても良く、それによりパワー供給を最小化するオペレーションのノードを初期化する。
【０００９】
ＬＡＮもしくはイーサネット上で電力を提供することの利点は、このテクノロジーにおける興味が急速に大きくなっているということである。しかしながら、ネットワークケーブリングが導入された多くのビルディングおよび他のロケーションは、電力を伝送することを可能にするために必要とされるアクティブおよびパッシブコンポーネントが組込まれていない。
【発明の開示】
【発明が解決しようとする課題】
【００１０】
今日、新しいビルディングの構造化された（組込まれた）ケーブリングは、１０〜２０年の間使用し続けることが意図されている。そのため、大部分の用途において、パワーオーバーイーサネット転送を提供するのに必要とされるパーツを組込むケーブリングとそれを置き換えることは経済的なことではないであろう。
【００１１】
構造化されたＬＡＮケーブリングの１０〜２０年の生存年数よりも頻繁に必要となる電子部品をアップグレードすることができることが望ましい。
【００１２】
そのため、全体として、ＬＡＮのアップグレードが、所望のエレトニクスモジュールおよび部品を組込むことを可能とするＬＡＮコンポーネントを提供する必要性が存在する。
【課題を解決するための手段】
【００１３】
本発明の第１発明では、ＰｏＥコントロールデバイスとケーブリングネットワークのコンポーネントとの間で「パワー-オーバー-イーサネット」（ＰｏＥ）コネクションを可能とするアセンブリーであって、
データを転送するための各データケーブルに操作可能に接続することができる複数のケーブル端末と、各ケーブル端末が各ソケットに操作可能に接続される複数のソケットと、を備えるネットワークコネクションデバイスと、
ＰｏＥコントロールデバイスもしくはＰｏＥ電源に直接接続されたとき、該ＰｏＥコントロールデバイスもしくはＰｏＥ電源の出力に依存して電力および／またはパワーシグナルを受信するように上記ＰｏＥコントロールデバイスもしくはＰｏＥ電源に直接接続することができ、それぞれのソケットに係合することが可能でありそれにより上記ネットワークコネクションデバイスの一部を形成するデータ転送パスを介して上記データケーブルに操作可能に接続することができるＰｏＥプラグジャックデバイスと、を備えるアセンブリーを提供する。
【００１４】
ここで使用する「ネットワークコネクションデバイス」なる用語には、パッチパネルもしくは同様のデバイスが含まれるが、しかしながらこれらに限定されるわけではない。
【００１５】
本発明によれば、ネットワークコネクションデバイスの一部を形成するシングルソケットを介してシングルネットワークコンポーネントにＰｏＥコネクションを提供することができる。これは、ネットワークコネクションデバイスの一部を構成する別のソケット、もしくはコンセントにＰｏＥ機能を提供する必要がないことを意味する。
【００１６】
実際には、常にＰｏＥ機能がネットワークコネクションデバイスにおける大抵のコンセントにおいて必要とされるわけではなく、そのため、本発明は、予め決定されたコンセントだけＰｏＥ機能を提供するシンプルでそして安価な方法を提供し、このため新たなＰｏＥ ＬＡＮは、容易にかつ経済的にアップグレードすることができ、ＰｏＥ装置として作動させることができる。
【００１７】
これは、ＬＡＮケーブリングおよびネットワークコネクションデバイスが、従来の、もしくは遙かに以前のコンポーネントであっても達成することができる。これは、ＰｏＥ機能を提供するために必要とされるコンポーネントが、ＰｏＥコントロールデバイスおよびＰｏＥプラグジャックデバイスにより追加することができるからである。これらのコンポーネントをＬＡＮに追加することは、従来のＬＡＮエレメントの導入後でもすることができる。これは、例えばＬＡＮが全く従来の設計のパッチパネルを含む場合でさえも同様である。これは、ＰｏＥプラグジャックデバイスを当該パッチパネルに操作可能に接続することができるからである。
【００１８】
当該アセンブリーは、それぞれのユニットが各ソケットに係合可能であり、それによりＰｏＥコントロールデバイスもしくはＰｏＥ電源と、ケーブリングネットワークの複数のコンポーネントとの間に、ＰｏＥ接続を可能とする複数のＰｏＥプラグジャックデバイスを備えることが好ましい。
【００１９】
当該アセンブリーを構成する上記もしくは各ＰｏＥプラグジャックデバイスは、電力ケーブルを介して、ＰｏＥコントロールデバイスもしくはＰｏＥ電源に直接接続可能であることが好ましい。
【００２０】
そのため、当該パワーケーブリングは、上記もしくは各ＰｏＥプラグジャックデバイスをパッチパネルと独立のＰｏＥコントロールデバイスもしくはＰｏＥ電源と直接接続させ、それにより当該ＰｏＥコントロールデバイスの出力に依存して電力および／またはパワーシグナルを受信することができる。
【００２１】
当該ＰｏＥプラグジャックデバイスは、上記もしくは各ＰｏＥプラグジャックデバイスと操作可能に電力ケーブルを接続するためのパワーポートを備えることが好ましい。そのため、パワーケーブルは、当該パワーポートを介してＰｏＥプラグジャックデバイスとリリース可能に接続してもよい。
【００２２】
上記パワーポートは、ＰｏＥプラグジャックデバイス内において、便利な位置に配置することができ、例えばＰｏＥプラグジャックデバイスの後面、前面、側面、上面、下面に配置することができる。
【００２３】
別の形態では、パワーケーブルは、ＰｏＥプラグジャックデバイスと一体形成しても良い。
【００２４】
ネットワークコネクションデバイスがパッチパネルを有する場合、当該パッチパネルのそれぞれのコンセントはパッチパネルのそれぞれの出力ジャックソケットにより規定される。
【００２５】
そのため、本発明は、ＰｏＥアップグレードのための各ＰｏＥプラグジャックデバイスを、従来のパッチパネルの選択された各出力ジャックソケットに設ける。各ＰｏＥプラグジャックデバイスは、パワーケーブル、ＰｏＥ電源もしくはコントローラーに直接接続するためのパワーケーブルを取付けるための手段が設けられている。
【００２６】
これは、殆どのコンセントが実際ＰｏＥを必要としない場合、パッチパネルの全てのコンセントにＰｏＥ機能を提供する費用を削減し、後でそれを必要とするほんの僅かだけが、その必要性が生じた際に本発明のＰｏＥプラグジャックデバイスを用いて個々にアップグレードすることができる。
【００２７】
本発明の好ましい形態に係るＰｏＥプラグジャックデバイスは、パワーコネクションに追加して、ジャックソケットを提供する。当該ジャックソケットは、ＰｏＥプラグジャックデバイスが導入されたパッチパネルの対応するソケットを分岐する。これは、当該ジャックソケットが以前と同じように機能し続けるとともに、各ソケットに電力供給を好適に追加することができる。
【００２８】
別の形態では、本発明に係るＰｏＥプラグジャックデバイスは、異なるソケットもしくは他のコネクション手段を提供し、オリジナルのパッチパネルソケットは他のデータコネクションを行うことができ、さらにそれぞれ電力供給も行うことができる。
【００２９】
本発明に係るＰｏＥプラグジャックデバイスは、さらにケーブリングマネージメントシステムのコネクションインターフェース、例えばＡＭＰＴＲＡＣシグナルを含んでいてもよい。
【００３０】
ＡＭＰＴＲＡＣ（登録商標）は、ＬＡＮ等のネットワークにおいて使用されるインフラ管理システムを提供するリアルタイムインテリジェントストラクチャードケーブリングマネージメントシステムである。
【００３１】
上記もしくは各ＰｏＥプラグジャックデバイスは、パッチパネルの各ソケットに係合可能な雄プラグを備えることが好ましく、上記もしくは各ＰｏＥプラグジャックデバイスをネットワークコネクションデバイスに操作可能に接続することができる。これにより、上記もしくは各ＰｏＥプラグジャックデバイスは、必要なときはいつでも、適切なソケット/コンセントを介して、ネットワークコネクションデバイスと直接接続することができる。
【００３２】
上記もしくは各ＰｏＥプラグジャックデバイスは、さらに、パッチケーブルを上記ＰｏＥプラグジャックデバイスに操作可能に接続するネットワークポートを有することが好ましい。
【００３３】
そのため、ネットワークポートにより、パッチケーブルを介してネットワークコネクションデバイスにネットワークコンポーネントを接続することができる。
【００３４】
上記もしくは各ＰｏＥプラグジャックデバイスは、ハウジングを備え、該ハウジングにおいて、雄プラグが操作可能に接続され、当該ハウジングに対してパワーケーブルが操作可能に接続可能であることが好ましい。
【００３５】
当該パワーケーブルは、本発明に係るＰｏＥプラグジャックデバイスのハウジングおよびＰｏＥコントロールデバイスの両方に直接接続することができる。別の形態では、当該ケーブルは、ケーブルのいずれかの端部に形成されたプラグと、ＰｏＥプラグジャックデバイスと接続可能な第１プラグと、上記ＰｏＥコントロールデバイスに接続可能な第２プラグと、を備える。
【００３６】
上記もしくは各ＰｏＥプラグジャックデバイスが、パワーケーブルを上記ＰｏＥプラグジャックデバイスに接続することを可能とするパワーポートを備えるアセンブリーの形態において、パワーポートを上記ハウジングに形成してもよい。
【００３７】
上記もしくは各ＰｏＥプラグジャックデバイスが、パッチケーブルを上記ＰｏＥプラグジャックデバイスに接続することを可能とするネットワークポートを備える本発明の形態において、ネットワークポートを上記ハウジングに形成してもよい。
【００３８】
そのため、上記ハウジングにより、ＰｏＥプラグジャックデバイスは、係合されたソケットに操作可能に接続されたデータケーブルと、ＰｏＥコントロールデバイスもしくはＰｏＥ電源にＰｏＥプラグジャックデバイスを接続するパワーケーブルとが、それぞれＰｏＥプラグジャックデバイスのハウジングに操作可能に接続される。
【００３９】
上記もしくは各ＰｏＥプラグジャックデバイスがネットワークポートを含む本発明のある形態において、パッチケーブルも上記ハウジングに操作可能に接続されていても良い。
【００４０】
そのような形態において、雄プラグおよびパワーケーブルに加えてパッチケーブルは、ＰｏＥコントロールデバイスもしくはＰｏＥ電源に操作可能に接続しても良い。
【００４１】
ＰｏＥプラグジャックデバイスは、上記ハウジングにおいて、エレクトロニクスセクションを具備し、当該エレクトロニクスセクションは、フィルター、コンバイナー、セパレーター、インダクタンス、サブバンドコミュニケーション装置、インジケーター装置、および／またはＰｏＥプラグジャックデバイスの雄プラグに操作可能に接続されたパワーマネージメントデバイスの少なくとも１つを有する。
【００４２】
雄プラグおよびパワーケーブルの両方は、ＰｏＥプラグジャックデバイスのハウジングに操作可能に接続されていてもよいので、雄プラグとパワーケーブルの両方は、ＰｏＥプラグジャックデバイスの上記エレクトロニクスセクションに操作可能に接続することができる。
【００４３】
同様に、ＰｏＥプラグジャックデバイスがネットワークポートを含む本発明の形態では、ネットワークポートがハウジングに形成され、パッチケーブルは上記エレクトロニクスセクションに操作可能に接続することができる。
【００４４】
異なるペアとして配置された第１および第２データラインを含む帯域外の（サブバンドの）コミュニケーション装置が開発されてきた。当該データラインは、第１周波数範囲の高速データを転送し、そして上記第１周波数範囲と異なる第２周波数範囲の帯域外データを転送する。当該装置は、また、第１および第２データラインに接続されたバンドパスフィルターを備える。当該フィルターは、帯域外データだけ通過させ、ハイスピードデータはブロックする。当該装置は、上記バンドパスフィルターに接続され、帯域外データを転送および受信の少なくともいずれか一方を行うように構成されているデバイスを含む。
【００４５】
ある実施の形態に係るそのような装置は、また第１および第２データラインからパワーを供給および取り出しの一方のためのセンターパワータップを有する変圧器を含む。別の形態では、当該フィルターはデジタルシグナルプロセッサーおよびアナログデジタルコンバーターを含み、これらはデジタルシグナルを帯域外データに変換するために配置される。
【００４６】
この配置における他のバリエーションは、また、１００キロヘルツ以下の周波数を通過させるように構成されたフィルターを含んでいても良い。任意ではあるが、当該装置の第２周波数範囲は、１００ヘルツ〜１００キロヘルツであってもよい。別の形態では、当該装置の第２周波数範囲は１００ヘルツ〜２０キロヘルツであってもよい。
【００４７】
このような装置は、本発明のＰｏＥプラグジャックデバイスおよび／または本発明とともに使用されるＰｏＥコントロールデバイスのオペレーション部に組込まれ、もしくはこれを構成してもよい。そのため、本発明の技術的範囲は、記載されたサブバンドコミュニケーション装置を含む全ての配置を包含する。
【００４８】
ＰｏＥプラグジャックデバイスのエレクトロニクスセクションにパッチケーブルを操作可能に接続することにより、ＰｏＥ装置を効果的に作製することができる。
【００４９】
また、ＰｏＥプラグジャックデバイスのエレクトロニクスセクションにパッチケーブルを接続することにより、ＰｏＥコントロールデバイスにより発生した例えばネットワークメッセージの、（例えばＬＡＮを制御するように接続されたサーバーにより若しくはＬＡＮスイッチ/リピーターから）他の場所で発生したものによる調整が可能である。
【００５０】
本発明の第２発明では、ＰｏＥコントロールデバイスもしくはＰｏＥ電源に直接接続されたときＰｏＥコントロールデバイスの出力に依存してＰｏＥコントロールプラグジャックデバイスが電力および/またはパワーシグナルを受信するように、ＰｏＥコントロールデバイスもしくはＰｏＥ電源に直接接続されうるＰｏＥプラグジャックデバイスであって、複数のケーブル端末を有するネットワークコネクションデバイスの各ソケットと係合可能であり、各ケーブル端末はそれぞれデータ転送のための各データケーブルに操作可能に接続可能であり、各ケーブル端末は、ＰｏＥプラグジャックデバイスの各ソケットへの係合が、ネットワークコネクションデバイスの一部を構成するデータ転送パスを介してＰｏＥプラグジャックデバイスが上記データケーブルと接続されるように、各ソケットに操作可能に接続されることを特徴とするＰｏＥプラグジャックデバイスを提供する。
【００５１】
本発明の第２発明に係るＰｏＥプラグジャックデバイスの任意の特徴は、本発明の第１発明のアセンブリーの一部とみなせる場合、本発明の第１発明と関連して上述した通りである。
【００５２】
本発明の第３発明では、現在のパッチパネルにおいて予め決定された個々のコンセントジャックソケットへのＰｏＥコネクションを提供するためのＰｏＥプラグジャックデバイスであって、それぞれのＰｏＥプラグジャックデバイスは、自身の取付けられたパワーケーブル、もしくはＰｏＥ電源もしくはＰｏＥコントロールデバイスへの直接接続のためパワーケーブル自身に取付けるための手段を有し、当該デバイスはさらにＰｏＥプラグジャックデバイスにネットワークコネクションデバイスを操作可能に接続するためのコネクターと、ＰｏＥプラグジャックデバイスにパワーケーブルを操作可能に接続するためのパワーポートと、を備えるＰｏＥプラグジャックデバイスを提供する。
【００５３】
本発明の第３発明に係るＰｏＥプラグジャックデバイスの任意の特徴は、本発明の第１発明のアセンブリーの一部とみなせる場合、本発明の第１発明に関連して、上述した通りである。
【発明を実施するための最良の形態】
【００５４】
以下、添付の図面を参照しながら、具体例により、本発明の好ましい実施の形態を記載するが、これらの具体例に限定されるわけではない。
【００５５】
図１を参照すると、本発明の第１発明に係るアセンブリー１０が示されている。
【００５６】
アセンブリー１０は、パッチパネル１２の形態のネットワークコネクションデバイスを備える。パッチパネル１２は、その後部に複数のケーブル端末を支持するフラットプレート１４（不図示）を備える。各ケーブル端末は、データ転送のための各データケーブルおよび各ジャック用ソケット１６に操作可能に接続可能である。パッチパネル１２は、いわゆるＰＣＢタイプであってもよく、もしくは実質的に他のタイプのいずれかの既知のパッチパネルであってもよい。
【００５７】
当該アセンブリーはさらにＰｏＥコントロールユニット１８と、上記ＰｏＥコントロールユニットに操作可能に接続された電源２０と、を備える。
【００５８】
図１に示されたアセンブリーは、図２により詳細に示されたＰｏＥプラグジャックデバイス２２をさらに備える。本明細書において、以下に、より詳細に記載するように、ＰｏＥプラグジャックデバイス２２によりネットワークコンポーネントとＰｏＥコントロールユニット１８との間のＰｏＥ接続を可能とする。
【００５９】
ＰｏＥプラグジャックデバイス２２は、ハウジング２３を備える。当該実施の形態では、その形状は略立方体である。ＰｏＥプラグジャックデバイス２２はさらに雄プラグ２４を備える。雄プラグ２４は、ハウジング２３に操作可能に接続され、各ジャックソケット１６に係合するように成形される。このため、雄プラグ２４は、ジャックソケット１６に挿嵌することができる。ＰｏＥプラグジャックデバイス２２が雄プラグ２４を介してジャックソケット１６に一旦係合されると、コネクターは、パッチパネル１２の一部を形成するデータ転送パスを介してパッチパネル１２の一部を形成するデータケーブルに操作可能に接続される。
【００６０】
ＰｏＥプラグジャックデバイス２２は、さらにポート２６を備える。ポート２６は、パワーケーブル２８がＰｏＥプラグジャックデバイス２２に操作可能に接続されることを可能とする。本発明の実施の形態において、ポート２６がパワーケーブル２８をＰｏＥプラグジャックデバイス２２に接続することを可能にするだけでなく、ＡＭＰＴＲＡＣ（登録商標）シグナルのためのコネクションインターフェースを具備することを可能とする。そのため、本発明に係るＰｏＥプラグジャックデバイスは、ＡＭＰＴＲＡＣシグナル機能を備える市販のＲＪ４５プラグとともに使用しても良い。当該プラグはＡＭＰＴＲＡＣシグナルを転送するピンを備える。本発明に係るＰｏＥプラグジャックデバイスは、ＲＪ４５プラグから、ＰｏＥプラグジャックデバイス２２が挿入されたジャックソケット１６までＡＭＰＴＲＡＣシグナルの転送を可能とする。
【００６１】
ＡＭＰＴＲＡＣは、ＬＡＮ等のネットワークにおいて使用されるインフラ管理システムを提供するリアルタイムインテリジェントストラクチャードケーブリングマネージメントシステムである。
【００６２】
ＰｏＥコントロールユニット１８は、またハウジング２３に形成されたパワーポート（不図示）を備える。このパワーポートは、パワーケーブル２８が、ＰｏＥコントロールユニットに操作可能に接続されることを可能とする。そのため、ＰｏＥプラグジャックデバイス２２は、ＰｏＥコントロールユニット、さらにはパッチパネル１２と独立する電源２０に直接接続される。
【００６３】
これは、ＰｏＥ機能が、ＰｏＥプラグジャックデバイス２２を予め決定されたソケット１６に係合させ、その後パワーケーブル２８によりＰｏＥプラグジャックデバイス２２をＰｏＥコントロールユニット１８に接続することにより、パッチパネル１２の予め決定されたコンセントに対して与えられうることを意味する。これは、ＰｏＥ機能が他のコンセントにおいて必要とされない場合、当該パネル１２において他のコンセントにＰｏＥ機能を与える費用を抑制することができる。
【００６４】
パワーポート２６はハウジング２３の後面に形成されるように図示されているが、ポート２６は、ＰｏＥプラグジャックデバイスの都合のいい部分に形成することができ、例えばＰｏＥプラグジャックデバイスの側面、上面もしくは下面に形成しても良い。
【００６５】
ＰｏＥ機能は、パッチパネル１２の他のコンセントにおいて必要とされる場合、別のＰｏＥプラグジャックデバイス２２を、ＰｏＥ機能を追加のコンセントに与えることを可能とする適切なソケット１６に接続することしか必要でない。
【００６６】
ＰｏＥプラグジャックデバイス２２は、さらにハウジング２３に形成されたネットワークポート３０を備える。これは、パッチケーブルがＰｏＥプラグジャックデバイス２２に操作可能に接続されることを可能とする。
【００６７】
そのため、ネットワークポート３０は、ＰｏＥプラグジャックデバイス２２によりネットワークコンポーネントがＰｏＥ機能に接続されることを可能とする。
【００６８】
電子的セクション（不図示）は、ハウジング２３に含まれる。当該電子的セクションには、例えば、フィルター、コンバイナー、セパレーター、インダクタンス、サブバンドコミュニケーション装置、インジケーター装置および/または電力管理装置が含まれ、これらは雄プラグ２４、パワーポート２６およびネットワークポート３０に操作可能に接続される。
【００６９】
ＰｏＥプラグジャックデバイス２２の電子的セクションは、例えばフラットプレート１４上の前部フレームデバイスを導入する必要が無く、データケーブルからのデータの混合が可能であり、ＰｏＥコントロールユニットからのＰｏＥシグナルを、パッチパネルの適切なコンセントのＰｏＥプラグジャックデバイス内において混成することができる。
【図面の簡単な説明】
【００７０】
【図１】図１は、本発明の第１発明に係るアセンブリーの一部を概略的に表したものである。
【図２】図２は、図１のアセンブリーの一部を形成する本発明の第２発明に係るＰｏＥプラグジャックデバイスのある態様を概略的に表したものである。
【図１】
2009535877.tif 000003
【図２】
2009535877.tif 000004
【国際調査報告】
2009535877.tif 000005
2009535877.tif 000006